(57)【要約】【課題】  フックが棒状係合部から外れて調理具などが落下することのない昇降式ラック。【解決手段】  上下方向に移動可能な本発明の昇降式ラックは、物品（２０）の一端に形成されたフック（２０ａ）と係合して物品を吊下げ状態で支持するための棒状係合部（２ａ）と、フックが棒状係合部から外れて物品が落下するのを防止するための落下防止具（２ｂ）とを備えている。落下防止具は、棒状係合部から所定の間隔を隔てた高さ位置において棒状係合部とほぼ同じ方向に延び、例えば棒状係合部を挟んで水平方向に間隔を隔てた一対の棒状部材の形態を有する。棒状係合部は先端部（２ａａ）から基底部にかけて下向きに傾斜し、落下防止具は棒状係合部の基底部側から所要距離だけ延びている。【選択図】  図５
2008295904.tif 000002
【特許請求の範囲】
【請求項１】
上下方向に移動可能な昇降式ラックにおいて、
物品の一端に形成されたフックと係合して前記物品を吊下げ状態で支持するための棒状係合部と、
前記フックが前記棒状係合部から外れて前記物品が落下するのを防止するための落下防止具とを備えていることを特徴とする昇降式ラック。
【請求項２】
前記落下防止具は、前記棒状係合部から所定の間隔を隔てた高さ位置において前記棒状係合部とほぼ同じ方向に延びていることを特徴とする請求項１に記載の昇降式ラック。
【請求項３】
前記落下防止具は、前記棒状係合部のほぼ真上に設けられた１つの棒状部材の形態を有することを特徴とする請求項２に記載の昇降式ラック。
【請求項４】
前記落下防止具は、前記棒状係合部を挟んで水平方向に間隔を隔てた一対の棒状部材の形態を有することを特徴とする請求項２に記載の昇降式ラック。
【請求項５】
前記棒状係合部は、先端部から基底部にかけて下向きに傾斜し、
前記落下防止具は、前記棒状係合部の前記基底部側から所要距離だけ延びていることを特徴とする請求項２乃至４のいずれか１項に記載の昇降式ラック。
【発明の詳細な説明】
【技術分野】
【０００１】
本発明は、昇降式ラックに関し、特に吊り戸棚の固定収納部の後側に設けられて上下方向に移動可能な昇降式ラックにおいて吊下げ状態で支持された調理具などの落下防止に関するものである。
【背景技術】
【０００２】
例えばキッチンのカウンターやシンクの上方には、吊り戸棚が設けられている。しかしながら、吊り戸棚の取り付け位置が比較的高いため、吊り戸棚の収納領域のうち、奥側の領域や上側の領域に収納された物には手が届き難く、収納物の出し入れが困難である。特に、身長の比較的低い女性の場合、吊り戸棚自体に手が届き難く、使用頻度の低いものしか収納しない傾向がある。
【０００３】
そこで、吊り戸棚の前方部分に固定収納部を設け、この固定収納部の後側に上下方向に移動可能な昇降式ラックを設ける構成が提案されている（特許文献１を参照）。
【０００４】
【特許文献１】特開２００６−３０５０６３号公報
【発明の開示】
【発明が解決しようとする課題】
【０００５】
この種の昇降式ラックでは、例えばレードル（おたま）、へらなどの調理具の柄の部分の自由端にフック（鉤：先の曲がった係合具）を形成し、昇降式ラック内に設けられた棒状係合部にフックを係合させて調理具などを吊下げ状態で支持すると便利である。しかしながら、単にフックを利用して調理具などを吊下げ状態で支持するだけでは、例えば巻取りドラムのような付勢手段の作用により昇降式ラックが上昇して急に停止すると、調理具などに作用する慣性力に起因してフックが棒状係合部から外れて調理具など（一般には物品）が落下することが危惧される。
【０００６】
本発明は、前述の課題に鑑みてなされたものであり、フックが棒状係合部から外れて調理具などが落下することのない昇降式ラックを提供することを目的とする。
【課題を解決するための手段】
【０００７】
前記課題を解決するために、本発明では、上下方向に移動可能な昇降式ラックにおいて、
物品の一端に形成されたフックと係合して前記物品を吊下げ状態で支持するための棒状係合部と、
前記フックが前記棒状係合部から外れて前記物品が落下するのを防止するための落下防止具とを備えていることを特徴とする昇降式ラックを提供する。
【０００８】
本発明の好ましい態様によれば、前記落下防止具は、前記棒状係合部から所定の間隔を隔てた高さ位置において前記棒状係合部とほぼ同じ方向に延びている。この場合、前記落下防止具は、前記棒状係合部のほぼ真上に設けられた１つの棒状部材の形態を有することが好ましい。あるいは、前記落下防止具は、前記棒状係合部を挟んで水平方向に間隔を隔てた一対の棒状部材の形態を有することが好ましい。また、前記棒状係合部は、先端部から基底部にかけて下向きに傾斜し、前記落下防止具は、前記棒状係合部の前記基底部側から所要距離だけ延びていることが好ましい。
【発明の効果】
【０００９】
本発明の昇降式ラックでは、単にフックを利用して調理具などの物品を吊下げ状態で支持するだけでは、例えば付勢手段の作用により昇降式ラックが上昇して急に停止すると、物品に作用する慣性力に起因してフックが棒状係合部から外れて物品が落下する恐れがあるという新たな課題の認識に基づいて、フックが棒状係合部から外れて物品が落下するのを防止するための落下防止具という新規な構成要素を付設している。その結果、本発明では、フックが棒状係合部から外れて調理具などが落下することのない昇降式ラックを実現することができる。
【００１０】
なお、本発明では、棒状係合部から所定の間隔を隔てた高さ位置に、棒状係合部とほぼ同じ方向に延びる落下防止具を設けることが好ましい。この場合、例えば付勢手段の作用により昇降式ラックが上昇して急に停止し、調理具などに作用する慣性力に起因してフックが棒状係合部からある程度浮き上がっても、フックが棒状係合部から外れるのを落下防止具により確実に防止することができる。
【００１１】
また、具体的に、落下防止具は、棒状係合部のほぼ真上に設けられた１つの棒状部材の形態を有することが好ましい。例えば吊下げ状態におけるフックの上側部分がほぼ平坦に形成されている場合、上述の形態の落下防止具により、簡素な構成にしたがって、フックが棒状係合部から浮き上がって外れるのを確実に防止することができる。
【００１２】
あるいは、落下防止具は、棒状係合部を挟んで水平方向に間隔を隔てた一対の棒状部材の形態を有することが好ましい。例えば吊下げ状態におけるフックの上側部分が上側に凸に湾曲して形成されている場合、落下防止具を構成する一対の棒状部材の間隔を適宜設定することにより、フックが棒状係合部から浮き上がって外れるのを確実に防止することができる。
【００１３】
また、本発明では、棒状係合部が先端部から基底部にかけて下向きに傾斜し、落下防止具は棒状係合部の基底部側から所要距離だけ延びていることが好ましい。この構成により、落下防止具が邪魔になることなく棒状係合部の比較的先端に近い位置にフックを掛けて係合させる動作が容易になる。また、棒状係合部の傾斜の作用により、棒状係合部の比較的先端に近い位置に掛けて係合させたフックが落下防止具と基底部との間へ自然に移動して安定するので、フックが棒状係合部から浮き上がって外れるのを確実に防止することができる。
【発明を実施するための最良の形態】
【００１４】
本発明の実施形態を、添付図面に基づいて説明する。図１は、本発明の実施形態にかかる昇降式ラックを備えた吊り戸棚がキッチンのワークトップ面の上方に設置されている様子を示す斜視図である。図１に示すように、本実施形態では、キッチンのワークトップ面の上方に設置された吊り戸棚の昇降式ラックに対して本発明を適用している。
【００１５】
図１に示すキッチンは、床Ｆの上に載置されたベースキャビネットＢＣを備えている。ベースキャビネットＢＣの上部には、キッチンに向かって左側から加熱調理部（ＩＨコンロ、ガスコンロなど）１１と、一対のカウンター１２ａおよび１２ｂとが設けられ、この一対のカウンター１２ａと１２ｂとの間にシンク１３が設けられている。また、シンク１３に隣接して、たとえば湯水混合型の水栓１４が設けられている。
【００１６】
また、加熱調理部１１の上方にはレンジフード１５が壁面Ｗに取り付けられ、このレンジフード１５とほぼ高さに整列するようにウォールキャビネットＷＣが壁面Ｗに取り付けられている。本実施形態では、ウォールキャビネットＷＣの一部、すなわちキッチンのカウンター１２ｂおよびシンク１３（ワークトップ面）の上方に設けられた部分が、本発明の昇降式ラックを備えた吊り戸棚１０として構成されている。
【００１７】
図２は、本実施形態にかかる昇降式ラックを備えた吊り戸棚の外観を概略的に示す斜視図であって、昇降式ラックが所要の高さ位置まで降下した降下状態を示している。図２を参照すると、本実施形態の吊り戸棚１０は、壁面Ｗに対して固定的に設けられた固定収納部１０Ａと、この固定収納部１０Ａの後側に設けられて上下方向に移動可能な昇降式ラック１０Ｂとを備えている。
【００１８】
固定収納部１０Ａの内部には、１つまたは複数（図１および図２では例示的に２つ）の中間棚板が設けられている。昇降式ラック１０Ｂは、前方および上方に開口した箱状の本体１と、この本体１の中間的な高さ位置に水平に設けられた１つまたは複数（図１および図２では例示的に４つ）の吊下げ部材２と、昇降式ラック１０Ｂの上下方向の移動を操作するための操作部３とを備えている。
【００１９】
操作部３は、本体１の底板１ａから下方へ間隔を隔てて水平に延びた棒状のハンドル３ａを有する。吊下げ部材２には、例えばレードルのような調理具２０が吊り下げられている。具体的には、調理具２０の柄の部分の自由端にフック２０ａが形成され、このフック２０ａを吊下げ部材２に掛けることにより調理具２０が吊下げ状態で支持されている。吊下げ部材２の詳細な構成および作用については後述する。
【００２０】
昇降式ラック１０Ｂは、常にほぼ一定の力で本体１を上方へ付勢するための付勢手段として、例えば巻取りドラム（不図示）に巻回されたベルト（不図示）を備えている。本実施形態では、本体１に作用するベルトの付勢力に抗してハンドル３ａを下方へ引き下げると、昇降式ラック１０Ｂが円滑に下降する。
【００２１】
昇降式ラック１０Ｂが所望の高さ位置まで下降したときに、例えばハンドル３ａから手を離すと、昇降式ラック１０Ｂは随時停止する。昇降式ラック１０Ｂが所望の高さ位置まで下降した降下状態において、ハンドル３ａに作用する付勢力に抗して手前の操作位置へ引き付けると、本体１に作用するベルトの付勢力により昇降式ラック１０Ｂが円滑に上昇する。
【００２２】
昇降式ラック１０Ｂが上昇する途中で、例えばハンドル３ａから手を離してハンドル３ａを奥側の元の位置へ戻すと、昇降式ラック１０Ｂは随時停止する。一方、ハンドル３ａを手前の操作位置へ引き付け続けると、昇降式ラック１０Ｂは最も高い位置まで上昇して停止し、固定収納部１０Ａの後側に格納される。昇降式ラック１０Ｂの昇降機構、ストッパー機構などの詳細については、特許文献１および本出願人による特願２００６−６８９９１号明細書および図面に開示されている。
【００２３】
以下、本実施形態の昇降式ラック１０Ｂにおける吊下げ部材２の具体的な構成および作用の説明に先立ち、図３および図４に示す比較例を参照して本発明において新たに認識した課題について簡単に説明する。図３に示す比較例では、調理具２０の一端、すなわち調理具２０の柄の部分の自由端に形成されたフック２０ａを、ほぼ水平方向に延びる棒状部３１に掛けて係合させている。
【００２４】
従来の周知技術にしたがって特段の策を講じることなく、フック２０ａを棒状部３１に単に掛けて係合させるだけでは、例えば巻取りドラムのような付勢手段の作用により昇降式ラック１０Ｂが上昇して急に停止すると、図４に示すように、調理具２０に作用する慣性力に起因してフック２０ａが棒状部３１から大きく浮き上がって外れ、ひいては調理具２０が落下することが危惧される。
【００２５】
図５は、本実施形態の昇降式ラックに設けられた吊下げ部材の構成および調理具の吊下げ状態を概略的に示す斜視図である。図６は、図５の線Ａで吊下げ部材を切断し且つ矢印Ａに沿って見た矢視図である。図５および図６を参照すると、調理具２０の柄の部分の自由端には、吊下げ状態において上側部分が上側に凸に湾曲した形状のフック２０ａが形成されている。換言すれば、調理具２０の一端に形成されたフック２０ａは、吊下げ状態における上側部分が上側に凸に湾曲した形態を有する。
【００２６】
吊下げ部材２は、調理具２０の一端に形成されたフック２０ａと係合して調理具２０を吊下げ状態で支持するための棒状係合部２ａと、フック２０ａが棒状係合部２ａから外れて調理具２０が落下するのを防止するための落下防止具２ｂとを備えている。落下防止具２ｂは、棒状係合部２ａから所定の間隔を隔てた高さ位置において棒状係合部２ａとほぼ同じ方向に延びており、棒状係合部２ａを挟んで水平方向に間隔を隔てた一対の棒状部材の形態を有する。
【００２７】
棒状係合部２ａは、その先端部２ａａから基底部２ａｂ（関連する図中においてフック２０ａに隠れているため参照符号２ａｂの図示を省略）にかけて下向きに傾斜している。また、落下防止具２ｂは、棒状係合部２ａの基底部２ａｂ側から、例えば中央位置の近傍まで、所要距離だけ延びている。なお、棒状係合部２ａの先端部２ａａ側には湾曲ストッパー部２ｃが延在して設けられ、棒状係合部２ａの基底部２ａｂ側にはＬ字状の取付け部２ｄが延在して設けられている。
【００２８】
本実施形態の昇降式ラック１０Ｂでは、棒状係合部２ａから所定の間隔を隔てた高さ位置に、棒状係合部２ａとほぼ同じ方向に延びる落下防止具２ｂが設けられている。したがって、例えば付勢手段の作用により昇降式ラック１０Ｂが上昇して急に停止し、図７（図５に対応する斜視図）および図８（図６に対応する矢視図）に示すように、調理具２０に作用する慣性力に起因してフック２０ａが棒状係合部２ａからある程度浮き上がっても、フック２０ａが棒状係合部２ａから外れるのを落下防止具２ｂの作用により確実に防止することができる。すなわち、本実施形態では、フック２０ａが棒状係合部２ａから外れて調理具２０が落下することのない昇降式ラック１０Ｂを実現することができる。
【００２９】
特に、本実施形態の落下防止具２ｂは、棒状係合部２ａを挟んで水平方向に間隔を隔てた一対の棒状部材の形態を有する。したがって、吊下げ状態において上側部分が上側に凸に湾曲した形状のフック２０ａであっても、また別の様々な形状のフック２０ａであっても、落下防止具２ｂを構成する一対の棒状部材の間隔を適宜設定することにより、フック２０ａが棒状係合部２ａから浮き上がって外れるのを確実に防止することができる。
【００３０】
また、本実施形態では、棒状係合部２ａが先端部２ａａから基底部２ａｂにかけて下向きに傾斜するとともに、落下防止具２ｂは棒状係合部２ａの基底部２ａｂ側から中央位置の近傍まで所要距離だけ延びている。したがって、落下防止具２ｂが邪魔になることなく、棒状係合部２ａの比較的先端に近い位置にフック２０ａを掛けて係合させる動作が容易になる。また、棒状係合部２ａの傾斜の作用により、棒状係合部２ａの比較的先端に近い位置に掛けて係合させたフック２０ａが落下防止具２ｂと基底部２ａｂとの間へ自然に移動して安定するので、フック２０ａが棒状係合部２ａから浮き上がって外れるのを確実に防止することができる。
【００３１】
図９は、本実施形態の変形例にかかる昇降式ラックに設けられた吊下げ部材の構成および調理具の吊下げ状態を概略的に示す斜視図である。図１０は、図９の線Ｂで吊下げ部材を切断し且つ矢印Ｂに沿って見た矢視図であって、変形例にかかる吊下げ部材の作用を説明する図である。変形例では、図９に示すように、調理具２０の一端に形成されたフック２０ｂは、吊下げ状態において上側部分がほぼ平坦に形成されている。
【００３２】
したがって、上述の実施形態のように一対の棒状部材の形態を有する落下防止具２ｂを用いなくても、図１０に示すように、例えば棒状係合部２ａのほぼ真上に設けられた１つの棒状部材の形態を有する落下防止具２ｅの作用により、上述の実施形態よりも簡素な構成にしたがって、フック２０ｂが棒状係合部２ａから浮き上がって外れるのを確実に防止することができる。
【００３３】
なお、上述の実施形態では、本体１の底板１ａから下方へ間隔を隔てて水平に延びたハンドル３ａを有する操作部３の作用により、昇降式ラック１０Ｂの上下方向の移動を操作している。しかしながら、これに限定されることなく、昇降式ラックの上下方向の移動を操作する操作部の構成については様々な変形例が可能である。
【００３４】
また、上述の実施形態では、壁面Ｗに固定的に設けられた固定収納部１０Ａの後側において上下方向に移動する昇降式ラック１０Ｂに対して本発明を適用している。また、上述の実施形態では、キッチンのワークトップ面の上方に設置された吊り戸棚１０の昇降式ラック１０Ｂに対して本発明を適用している。しかしながら、これに限定されることなく、一般に上下方向に移動可能な昇降式ラックに対して本発明を適用することができる。
【図面の簡単な説明】
【００３５】
【図１】本発明の実施形態にかかる昇降式ラックを備えた吊り戸棚がキッチンのワークトップ面の上方に設置されている様子を示す斜視図である。
【図２】本実施形態にかかる昇降式ラックを備えた吊り戸棚の外観を概略的に示す斜視図であって、昇降式ラックが所要の高さ位置まで降下した降下状態を示している。
【図３】本発明において新たに認識された課題を説明する第１の図である。
【図４】本発明において新たに認識された課題を説明する第２の図である。
【図５】本実施形態の昇降式ラックに設けられた吊下げ部材の構成および調理具の吊下げ状態を概略的に示す斜視図である。
【図６】図５の線Ａで吊下げ部材を切断し且つ矢印Ａに沿って見た矢視図である。
【図７】図５に対応する斜視図であって、本実施形態の吊下げ部材の作用を説明する図である。
【図８】図６に対応する矢視図であって、本実施形態の吊下げ部材の作用を説明する図である。
【図９】本実施形態の変形例にかかる昇降式ラックに設けられた吊下げ部材の構成および調理具の吊下げ状態を概略的に示す斜視図である。
【図１０】図９の線Ｂで吊下げ部材を切断し且つ矢印Ｂに沿って見た矢視図であって、変形例の吊下げ部材の作用を説明する図である。
【符号の説明】
【００３６】
１  昇降式ラックの本体
２  吊下げ部材
２ａ  棒状係合部
２ａａ  棒状係合部の先端部
２ａｂ  棒状係合部の基底部
２ｂ，２ｅ  落下防止具
３  操作部
３ａ  ハンドル
１０Ａ  固定収納部
１０Ｂ  昇降式ラック
２０  調理具
２０ａ，２０ｂ  調理具のフック
【図１】
2008295904.tif 000003
【図２】
2008295904.tif 000004
【図３】
2008295904.tif 000005
【図４】
2008295904.tif 000006
【図５】
2008295904.tif 000007
【図６】
2008295904.tif 000008
【図７】
2008295904.tif 000009
【図８】
2008295904.tif 000010
【図９】
2008295904.tif 000011
【図１０】
2008295904.tif 000012